(57)【要約】【課題】被監視端末装置に流れる電流を検知して、電流の変化を判定し、その判定を報知する電流検知判定装置を提供する。【解決手段】電源タップ型の電流検知判定装置１があり、出力ポート１９毎に電流を計測するセンサを備え、ネットワーク接続端子１８によりネットワークを介して端末装置と接続している。電流検知判定装置１は、モードスイッチ１３にて「停止」「監視」「設定」のモード切替を行い、設定ボタン１４を押して判定の基準となる電流値を計測、記憶する。端末装置にて電流検知判定装置１で行う判定方法の選択や種々設定が行われ、電流検知判定装置１へデータが送信される。電流検知判定装置１では、端末装置及び電流検知判定装置１で設定された判定基準に基づいて各出力ポートの電流を検知判定し、判定結果を端末装置へ報知する。【選択図】　図２
2004101476.tif 000002
【特許請求の範囲】
【請求項１】
電流を検知して、電流の変化を判定し、その結果を報知する電流検知判定装置であって、
当該電流検知判定装置を流れる電流値を計測する計測手段と、
当該計測手段により計測された計測電流値をデジタルデータに変換するアナログデジタル変換手段と、
当該アナログデジタル変換手段においてデジタルデータに変換された計測電流値を記憶する電流値記憶手段と、
電流の変化を判定する際の基準となる電流値を設定する基準電流値設定手段と、
当該基準電流値設定手段により設定された１つ以上の基準電流値を記憶する基準電流値記憶手段と、
当該電流値記憶手段に記憶された前記計測電流値及び前記基準電流値記憶手段に記憶された前記基準電流値に基づいて、電流の変化が所定の変化であるか否かを判定する判定手段と、
当該判定手段により電流の変化が所定の変化であると判断された場合に判定結果を報知する報知手段と
を備えたことを特徴とする電流検知判定装置。
【請求項２】
前記判定手段は、
前記電流値記憶手段に記憶された前記計測電流値が前記基準電流値記憶手段に記憶された前記基準電流値以上であるか否かを判定する第１判定手段と、
前記電流値記憶手段に記憶された前記計測電流値が前記電流値記憶手段に記憶された前回の計測結果である前回計測電流値に等しいか否かを判定する第２判定手段と
を備えたことを特徴とする請求項１に記載の電流検知判定装置。
【請求項３】
前記判定手段は、
所定期間に前記計測手段において計測され、前記アナログデジタル変換手段においてデジタルデータに変換された複数の計測電流値の内、所定数の計測電流値が前記基準電流値以上であるか否かを判定する第３判定手段を備えたことを特徴とする請求項１に記載の電流検知判定装置。
【請求項４】
前記電流検知判定装置では、
電気供給口であるコンセントに接続可能であり電流が入力される入力手段と、
電気機器の電源プラグを接続可能であり前記電源プラグに電流を出力する１つ又は複数の出力手段とを備え、
前記出力手段は前記計測手段と前記アナログデジタル手段とをそれぞれ備えていることを特徴とする請求項１乃至３のいずれかに記載の電流検知判定装置。
【請求項５】
前記電流検知判定装置は、判定及び報知に関する設定を行う設定端末装置にネットワークを介して接続された電流検知判定装置であって、
前記設定端末装置において設定された判定及び報知に関する情報を受信する受信手段と、
前記受信手段が受信した前記情報を記憶する情報記憶手段と
を備えたことを特徴とする請求項１乃至４のいずれかに記載の電流検知判定装置。
【請求項６】
前記情報は、報知をするか否かの報知情報、電流変化の判定の基準となる判定基準情報、判定を行う判定プログラムの内の少なくとも１つであることを特徴とする請求項５に記載の電流検知判定装置。
【請求項７】
前記電流検知判定装置の前記報知手段は、前記電流検知判定装置に付属のブザー又はランプであることを特徴とする請求項１乃至６のいずれかに記載の電流検知判定装置。
【請求項８】
前記電流検知判定装置は、電流の変化が報知される報知端末装置にネットワークを介して接続した電流検知判定装置であって、
前記報知手段は、
前記報知端末装置に送信する報知情報を前記判定結果に基づいて作成する報知情報作成手段と、
前記報知情報を前記報知端末装置に送信する報知情報送信手段と
を備えたことを特徴とする請求項１乃至７のいずれかに記載の電流検知判定装置。
【請求項９】
電流を検知して、電流の変化を判定し、その結果を報知する請求項１乃至８のいずれかに記載の電流検知判定装置にネットワークを介して接続した設定端末装置であって、
判定及び報知に関する情報を設定する設定手段と、
複数の判定方法から１つの判定方法を選択する判定方法選択手段と、
判定及び報知に関する情報を電流検知判定装置へ送信する送信手段と
を備えた設定端末装置。
【発明の詳細な説明】
【０００１】
【発明の属する技術分野】
本発明は、電流検知判定装置及び設定端末装置に関し、詳細には電源装置において接続機器に供給する電流を検知して、電流の変化を判定し、その判定結果を報知する電流検知判定装置及び判定の基準を設定する設定端末装置に関する。
【０００２】
【従来の技術】
従来、電流計測装置は電流を測定し、装置の表示部に計測結果をアナログもしくはデジタルにて表示するものが主流であり、電流を継続して計測し、記録するものもある。また、電源装置は施設の壁等に配置されたコンセントに差し込む入力ポートと、接続機器のプラグを差し込むための出力ポートを１つ以上備えている電源タップ型のものが一般的である。しかしながら、近年は出力ポート毎に電源入切スイッチが備えられているもの、使用電流量を計測して閾値以上になると電源を切るもの、ネットワークを介して管理コンピュータと接続して電源入切を遠隔操作できるもの、使用電力量を計測し表示できるものなど、様々な機能が付属している電源装置も使用されている。
【０００３】
【発明が解決しようとする課題】
近年、コンピュータ機器は家庭、店舗、オフィス等さまざまな所で多数使用されており、その内部に保存される情報も重要になってきている。そこで、コンピュータ機器の情報を守るために、不正な使用がなされていないか使用状況を監視する必要がある。また、多数の電気機器が設置されているオフィス等では、各機器の使用頻度や使用時間といった稼働状況を把握して使用頻度が高い設置場所へは高性能な機器を設置したり、機器を追加したり、逆にほとんど使用されていない機器を撤去したり、といった機器管理が必要となってくる。電気機器の使用頻度を監視する方法として、被監視端末自体に監視機能を持たせたり、被監視機器に監視プログラムをインストールしたりする方法が考えられる。しかし、前者の方法では、機器毎に開発が必要であり、コストもかかる。また、すでに使用している機器を監視することはできない。後者の場合、被監視機器それぞれにインストール作業をする必要があり、また、新しく監視プログラムをインストールすることにより、他のプログラムに何らかの影響を及ぼす懸念もある。また、被監視機器が稼働している状態の管理しかできない。
【０００４】
そこで、被監視機器に何らかの監視システムを搭載するのではなく、被監視機器の消費電流量の面から考え、被監視機器に供給される電流量を検知、判定することによりその状態を監視する方法を考える。
【０００５】
本発明は、上記課題を解決するためになされたものであり、被監視機器に供給される電流を検知して、電流の変化を判定し、その判定を報知する電流検知判定装置を提供することを目的とする。
【０００６】
【課題を解決するための手段】
上記課題を解決するため、請求項１に係る発明の電流検知判定装置では、電流を検知して、電流の変化を判定し、その結果を報知する電流検知判定装置であって、当該電流検知判定装置を流れる電流値を計測する計測手段と、当該計測手段により計測された計測電流値をデジタルデータに変換するアナログデジタル変換手段と、当該アナログデジタル変換手段においてデジタルデータに変換された計測電流値を記憶する電流値記憶手段と、電流の変化を判定する際の基準となる電流値を設定する基準電流値設定手段と、当該基準電流値設定手段により設定された１つ以上の基準電流値を記憶する基準電流値記憶手段と、当該電流値記憶手段に記憶された前記計測電流値及び前記基準電流値記憶手段に記憶された前記基準電流値に基づいて、電流の変化が所定の変化であるか否かを判定する判定手段と、当該判定手段により電流の変化が所定の変化であると判断された場合に判定結果を報知する報知手段とを備えている。
【０００７】
この構成の電流検知判定装置では、計測手段は、電流検知判定装置を流れる電流値を計測し、アナログデジタル変換手段は、計測手段により計測された計測電流値をデジタルデータに変換し、電流値記憶手段は、アナログデジタル変換手段においてデジタルデータに変換された計測電流値を記憶し、基準電流値設定手段は、電流の変化を判定する際の基準となる電流値を設定し、基準電流値記憶手段は、基準電流値設定手段により設定された１つ以上の基準電流値を記憶し、判定手段は、電流値記憶手段に記憶された計測電流値及び基準電流値記憶手段に記憶された基準電流値に基づいて、電流の変化が所定の変化であるか否かを判定し、報知手段は、判定手段により電流の変化が所定の変化であると判断された場合に判定結果を報知する。
【０００８】
また、請求項２に係る発明の電流検知判定装置では、請求項１に記載の発明の構成に加えて、前記判定手段は、前記電流値記憶手段に記憶された前記計測電流値が前記基準電流値記憶手段に記憶された前記基準電流値以上であるか否かを判定する第１判定手段と、前記電流値記憶手段に記憶された前記計測電流値が前記電流値記憶手段に記憶された前回の計測結果である前回計測電流値に等しいか否かを判定する第２判定手段とを備えたことを特徴とする構成となっている。
【０００９】
この構成の電流検知判定装置では、請求項１に記載の発明の作用に加えて、判定手段に備えられた第１判定手段は、電流値記憶手段に記憶された計測電流値が基準電流値記憶手段に記憶された基準電流値以上であるか否かを判定し、第２判定手段は、電流値記憶手段に記憶された計測電流値が基準電流値記憶手段に記憶された前回の計測結果である前回計測電流値に等しいか否かを判定する。
【００１０】
また、請求項３に係る発明の電流検知判定装置では、請求項１に記載の発明の構成に加えて、前記判定手段は、所定期間に前記計測手段において計測され、前記アナログデジタル変換手段においてデジタルデータに変換された複数の計測電流値の内、所定数の計測電流値が前記基準電流値以上であるか否かを判定する第３判定手段を備えたことを特徴とする構成となっている。
【００１１】
この構成の電流検知判定装置では、請求項１に記載の発明の作用に加えて、判定手段の第３判定手段は、所定期間に計測手段において計測され、アナログデジタル変換手段においてデジタルデータに変換された複数の計測電流値の内、所定数の計測電流値が基準電流値以上であるか否かを判定する。
【００１２】
また、請求項４に係る発明の電流検知判定装置では、請求項１乃至３のいずれかに記載の発明の構成に加えて、前記電流検知判定装置では、電気供給口であるコンセントに接続可能であり電流が入力される入力手段と、電気機器の電源プラグを接続可能であり前記電源プラグに電流を出力する１つ又は複数の出力手段とを備え、前記出力手段は前記計測手段と前記アナログデジタル手段とをそれぞれ備えていることを特徴とする構成となっている。
【００１３】
この構成の電流検知判定装置では、請求項１乃至３のいずれかに記載の発明の作用に加えて、入力手段は、電気供給口であるコンセントに接続可能であり、電流が入力され、１つ又は複数の出力手段は、電気機器の電源プラグを接続可能であり、電源プラグに電流を出力する。また、計測手段とアナログデジタル手段はそれぞれの出力手段に備えられている。
【００１４】
また、請求項５に係る発明の電流検知判定装置では、請求項１乃至４のいずれかに記載の発明の構成に加えて、前記電流検知判定装置は、判定及び報知に関する設定を行う設定端末装置にネットワークを介して接続された電流検知判定装置であって、前記設定端末装置において設定された判定及び報知に関する情報を受信する受信手段と、前記受信手段が受信した前記情報を記憶する情報記憶手段とを備えたことを特徴とする構成となっている。
【００１５】
この構成の電流検知判定装置では、請求項１乃至４のいずれかに記載の発明の作用に加えて、受信手段は、設定端末装置において設定された判定及び報知に関する情報を受信し、情報記憶手段は、受信手段が受信した情報を記憶する。
【００１６】
また、請求項６に係る発明の電流検知判定装置では、請求項５に記載の発明の構成に加えて、前記情報は、報知をするか否かの報知情報、電流変化の判定の基準となる判定基準情報、判定を行う判定プログラムの内の少なくとも１つであることを特徴とする構成となっている。
【００１７】
この構成の電流検知判定装置では、請求項５に記載の発明の作用に加えて、情報は、報知をするか否かの報知情報、電流変化の判定の基準となる判定基準情報、判定を行う判定プログラムの内の少なくとも１つが用いられる。
【００１８】
また、請求項７に係る発明の電流検知判定装置では、請求項１乃至６のいずれかに記載の発明の構成に加えて、前記電流検知判定装置の報知手段は、前記電流検知判定装置に付属のブザー又はランプであることを特徴とする構成となっている。
【００１９】
この構成の電流検知判定装置では、請求項１乃至６のいずれかに記載の発明の作用に加えて、電流検知判定装置の報知手段は、電流検知判定装置に付属のブザー又はランプが用いられる。
【００２０】
また、請求項８に係る発明の電流検知判定装置では、請求項１乃至７のいずれかに記載の発明の構成に加えて、前記電流検知判定装置は、電流の変化が報知される報知端末装置にネットワークを介して接続した電流検知判定装置であって、前記報知手段は、前記報知端末装置に送信する報知情報を前記判定結果に基づいて作成する報知情報作成手段と、前記報知情報を前記報知端末装置に送信する報知情報送信手段とを備えたことを特徴とする構成となっている。
【００２１】
この構成の電流検知判定装置では、請求項１乃至７のいずれかに記載の発明の作用に加えて、報知手段の報知情報作成手段は、報知端末装置に送信する報知情報を判定結果に基づいて作成し、報知情報送信手段は、報知情報を報知端末装置に送信する。
【００２２】
また、請求項９に係る発明の設定端末装置では、電流を検知して、電流の変化を判定し、その結果を報知する請求項１乃至８のいずれかに記載の電流検知判定装置にネットワークを介して接続した設定端末装置であって、判定及び報知に関する情報を設定する設定手段と、複数の判定方法から１つの判定方法を選択する判定方法選択手段と、判定及び報知に関する情報を電流検知判定装置へ送信する送信手段とを備えている。
【００２３】
この構成の設定端末装置では、設定手段は、判定及び報知に関する情報を設定し、判定方法選択手段は、複数の判定方法から１つの判定方法を選択し、送信手段は、判定及び報知に関する情報を電流検知判定装置へ送信する。
【００２４】
【発明の実施の形態】
以下、本発明の一実施の形態について、図面を参照して説明する。図１は、本発明の一実施の形態を示す機器の構成のブロック図である。電流検知判定装置１は電源タップの形状をしており、コンセント４に接続してパソコン５１、ディスプレイ５２、プリンタ５３及びスキャナ５４に電源を供給し、各接続機器へ流れている電流量を監視する。さらに、電流検知判定装置１はネットワーク２を介して端末装置３に接続している。この端末装置３は、電流検知判定装置１における判定方法の選択や報知をするか否か等の設定を行い、また、電流検知判定装置１の各出力ポート１９（図２参照）に接続されたパソコン５１等の被監視機器に流れている電流量を、検知判定した判定結果を電流検知判定装置１から受け取る。
【００２５】
次に、図２を参照して、電流検知判定装置１の外観構造について説明する。電流検知判定装置１には、コンセントに接続するための入力ポート２０が設けられ、さらに電源供給先機器のプラグが差し込まれる出力ポート１９が４つ設けられている（１９ａ，１９ｂ，１９ｃ，１９ｄ）。また、ネットワーク２へ接続するためにネットワークケーブル（図示外）を差し込むネットワーク接続端子１８が備えられている。さらに、電流検知判定装置１の動作モードを設定するためのモードスイッチ１３と、電流検知判定の基準となる電流値の設定を行うための設定ボタン１４とが設けられている。モードスイッチ１３には「停止」、「監視」、「設定」の３つのモードが設けられており、つまみをそれぞれの文字に合わせることにより、モードの切り替えができる。「停止」モードでは、監視も設定も行わない状態となり、「監視」モードでは、各出力ポート１９の電流値の検知判定をして監視を行い、「設定」モードでは、「監視」モードで行われる判定の基準となる電流値を計測、設定する。さらに、「設定」モードの際に、どの出力ポート１９に対して行っているかを示すランプ２２が４つの出力ポート１９に対応して備えられている（２２ａ，２２ｂ，２２ｃ，２２ｄ）。
【００２６】
次に、図３を参照して、電流検知判定装置１の構造を説明する。図３は電流検知判定装置１の電気的構成のブロック図である。図３に示すように、電流検知判定装置１には、電流検知判定装置１の制御を司るＣＰＵ１２が設けられ、ＣＰＵ１２には、プログラム等を記憶したＲＯＭ１５と、各種のデータを一時的に記憶するＲＡＭ１６と、電流検知判定の設定情報を記憶する不揮発ＲＡＭ１７とが接続され、さらにモードスイッチ１３、設定ボタン１４、ネットワーク接続端子１８及びタイマ回路２１が接続されている。
【００２７】
また、外部コンセント４から電流が入力される入力ポート２０が設けられ、電流を検知するセンサ１０を介して４つ設けられた出力ポート１９（１９ａ，１９ｂ，１９ｃ，１９ｄ）へ接続している。センサ１０は電線の周囲の電磁波を計測する非接触型のセンサであり、４つのセンサ１０が出力ポート１９毎にそれぞれ設けられている（１０ａ，１０ｂ，１０ｃ，１０ｄ）。さらに、センサ１０には、センサ１０で計測した電流値をアナログデータからデジタルデータに変換するＡ／Ｄコンバータ１１が各々設けられており（１１ａ，１１ｂ，１１ｃ，１１ｄ）、ＣＰＵ１２に接続されている。ここで、出力ポート１９ａは出力ポート番号を１とする。出力ポート１９ｂは出力ポート番号を２とする。出力ポート１９ｃは出力ポート番号を３とする。出力ポート１９ｄは出力ポート番号を４とする。
【００２８】
また、不揮発ＲＡＭ１７には、端末装置３から送信された設定データを記憶する受信設定データ記憶エリア１７０、電流検知判定装置１にて計測、設定した基準電流値が記憶されている基準値テーブル記憶エリア１７１、判定方法１に関する設定値が記憶されている判定方法１設定テーブル記憶エリア１７２、判定方法２に関する設定値が記憶されている判定方法２設定テーブル記憶エリア１７３が記憶されている。さらにＲＡＭ１６には、監視モード処理にて使用される前回計測値テーブル記憶エリア１６１、判定データ記憶エリア１６２、報知データ記憶エリア１６３、監視データ記憶エリア１６４が記憶されている。
【００２９】
次に、図４を参照して端末装置３の構造を説明する。図４は、端末装置３の電気的構成のブロック図である。図４に示すように、端末装置３には、端末装置３の制御を司るＣＰＵ３０が設けられ、ＣＰＵ３０には、各種のデータを一時的に記憶するＲＡＭ３１と、ＢＩＯＳ等を記憶したＲＯＭ３２と、データの受け渡しの仲介を行うＩ／Ｏインターフェース３３とが接続されている。Ｉ／Ｏインターフェース３３には、ハードディスク装置３８が接続され、当該ハードディスク装置３８には、設定データ記憶エリア３８０と、その他の情報記憶エリア３８１と、ＣＰＵ３０で実行されるプログラムを記憶したプログラム記憶エリア３８２とが設けられている。
【００３０】
また、Ｉ／Ｏインターフェース３３には、ビデオコントローラ３４と、キーコントローラ３５と、ＣＤ−ＲＯＭドライブ３６と、ＬＡＮカード３９とが接続され、ビデオコントローラ３４にはＣＲＴ４１が接続され、キーコントローラ３５にはキーボード４２が接続され、ＬＡＮカード３９にはルータ４０が接続され、ネットワーク２に接続可能となっている。なお、ＣＤ−ＲＯＭドライブ３６に挿入されるＣＤ−ＲＯＭ３７には、端末装置３の制御プログラムが記憶されており、導入時には、制御プログラムは、ＣＤ−ＲＯＭ３７から、ハードディスク装置３８にセットアップされてプログラム記憶エリア３８２に記憶されるようになっている。
【００３１】
本実施の形態の電流検知判定装置１では、判定方法を２種類の判定方法から選択することができる。判定方法１では、電流検知判定装置１の各出力ポート１９に対して、複数の基準値を設定し、その基準値を基準として、その出力ポート１９に流れている電流の計測値の変化を判定し、報知する。詳細には、基準値を値の大きいものから順に基準値１、基準値２、基準値３とすると、計測値が基準値１以上であった場合には状態１、計測値が基準値１未満、基準値２以上であった場合には状態２、計測値が基準値２未満、基準値３以上であった場合には状態３、計測値が基準値３未満であった場合には状態４というように計測値の状態を４つに分類し、この状態毎に報知する否かの設定を行う。そして、計測値が前回計測値と異なる値であった場合に、その計測値の状態において報知する設定がなされている場合には、端末装置３へ報知される。判定方法２では、電流検知判定装置１の各出力ポート１９に対して、１つの電流基準値、基準時間及び基準回数を設定し、基準時間内に計測値が基準値以上となった回数を計数し、その回数が基準回数以上であった場合、かつ、その出力ポート１９に対して報知する設定がなされている場合に、端末装置３へ報知する。
【００３２】
判定方法１及び判定方法２で使用される基準値は、電流検知判定装置１において、モードスイッチ１３を「設定」にし、設定ボタン１４を押下することにより設定され、記憶される。また、判定や報知に関するその他の設定は、端末装置３において、図６に示す電流監視設定画面２３を用いて行われ、設定データが電流検知判定装置１へ送信、記憶される。
【００３３】
まず、本実施の形態の電流検知判定装置１において実行されるメイン処理を図５のフローチャートを用いて説明し、次いで、設定に関する事柄について、図６の電流監視設定画面２３、図７乃至図１２の設定関連データの模式図、図１３のメイン処理内で行われる設定モード処理フローチャート、図１４のメイン処理内で行われる設定データ記憶処理フローチャートを参照して説明する。
【００３４】
図５は、本実施の形態の電流検知判定装置１において実施されるメイン処理のフローチャートである。このメイン処理は電流検知判定装置１がコンセント４に接続されると開始され、コンセント４への接続が断たれると終了する。まず、端末装置３から設定データを受信したかを確認し（Ｓ１）、設定データ受信であった場合には、設定データ記憶処理（図１３参照）を行い（Ｓ１：ＹＥＳ、Ｓ１２）、Ｓ１へ戻る。設定データ受信でなかった場合には、モードスイッチが「停止」になっているかを確認する（Ｓ１：ＮＯ、Ｓ２）。モードスイッチが「停止」になっている場合には（Ｓ２：ＹＥＳ）、なにもせずにＳ１へ戻る。次いで、モードスイッチが「停止」になっていない場合には（Ｓ２：ＮＯ）、モードスイッチが「設定」になっているかを確認する（Ｓ３）。モードスイッチが「設定」になっている場合には、設定処理モード処理（図１４参照）を行い（Ｓ３：ＹＥＳ、Ｓ１１）、Ｓ１へ戻る。モードスイッチが「設定」になっていない場合には（Ｓ３：ＮＯ）、端末装置３から設定データが受信され、受信設定データ記憶エリア１７０に記憶されているかを確認する（Ｓ４）。設定データが記憶されていない場合には（Ｓ４：ＮＯ）、判定方法が確定しておらず、電流検知判定装置１の電流値を監視することはできないため、そのままＳ１へ戻る。
【００３５】
設定データが記憶されている場合には（Ｓ４：ＹＥＳ）、モードスイッチは「監視」になっていると判断されるので、出力ポート番号カウンタｎを用いて４つの出力ポートに対して順に監視モード処理を行い（Ｓ５からＳ１０）、Ｓ１へ戻る。まず、電流検知判定装置１の出力ポート１９のカウンタであるｎに初期値の「０」をセットする（Ｓ５）。次いで、出力ポート番号カウンタｎの値が全出力ポート数の４以上であるか否かを判断する（Ｓ６）。出力ポート番号カウンタｎの値が４以上である場合には（Ｓ６：ＹＥＳ）、全ての出力ポート１９の監視が終了したので、Ｓ１へ戻る。出力ポート番号カウンタｎの値が４以上でない場合には（Ｓ６：ＮＯ）、出力ポート番号カウンタｎの値に「１」を足す（Ｓ７）。次いで、受信設定データ記憶エリア１７０の判定方法欄（図９参照）に記憶されている判定方法が「１」であるか、「２」であるかを確認する（Ｓ８）。判定方法が「１」である場合には（Ｓ８：１）、判定方法１の監視モード処理を行い（Ｓ９）、Ｓ６へ戻る。判定方法が「２」である場合には（Ｓ８：２）、判定方法２の監視モード処理を行い（Ｓ１０）、Ｓ６へ戻る。
【００３６】
次に、図６を参照して、設定データを作成する際に用いられる端末装置３の電流監視設定画面２３について説明し、図７及び図８を参照して設定データについて説明する。
【００３７】
図６は端末装置３の電流監視設定画面２３のイメージ図である。ここでは、判定方法の選択を行い、さらに選択した判定方法における設定項目の入力を行う。図６に示すように、電流監視設定画面２３では、オプションボタンにより判定方法１又は判定方法２が選択できるようになっている。そして各判定方法の表示の下には、各設定項目が表示されている。判定方法１には、出力ポート番号に対して報知設定欄が設けられており、「状態１」、「状態２」、「状態３」及び「状態４」がチェックボックスで選択可能な形で表示されている。判定方法２では、出力ポート番号に対して、報知設定欄と基準時間欄と基準回数欄が設けられており、報知設定欄にはチェックボックスが設けられ報知する出力ポートに対してチェックをし、基準時間欄には入力ボックスが設けられ、判定の区切りとなる時間を入力し、基準回数欄には入力ボックスが設けられ、判定の基準となる回数を入力するようになっている。また、画面右下には「設定」ボタン及び「キャンセル」ボタンが表示されている。「設定」ボタンをクリックすることにより、入力された設定内容が確定され、設定データ記憶エリア３８０（図７、図８参照）に記憶され、電流検知判定装置１へ送信される。
【００３８】
図６に示す例では、判定方法１が選択され、出力ポート番号１では、「状態１」、「状態２」、「状態３」、「状態４」の全てのチェックボックスがチェックされて、報知する設定がなされている。出力ポート番号２では、「状態１」、「状態２」のチェックボックスがチェックされて、報知する設定がなされている。出力ポート番号３では、全ての状態のチェックボックスがチェックされて、報知する設定がなされている。出力ポート番号４では、どの状態のチェックボックスもチェックされていない。
【００３９】
次いで、図７及び図８を参照して端末装置３のハードディスク装置３８に記憶されている設定データ記憶エリア３８０について説明する。図７及び図８は設定データ記憶エリア３８０に記憶されている設定データの模式図である。ここへは、図６に示す電流監視設定画面２３で入力された設定情報が記憶される。図７は、判定方法１が選択された場合の設定データ３８０ａの模式図であり、図８は判定方法２が選択された場合の設定データの模式図３８０ｂである。設定データ記憶エリア３８０には、判定方法欄と設定内容欄が設けられており、判定方法欄には選択された判定方法の番号である「１」又は「２」がセットされる。また、設定内容欄には判定方法１欄及び判定方法２欄が設けられており、判定方法１が選択された場合には判定方法１欄に入力データがセットされ、判定方法２が選択された場合には判定方法２欄に入力データがセットされる。
【００４０】
図７に示す例では、判定方法欄には判定方法１が選択されたことを示す「１」がセットされている。また、設定内容欄の判定方法１欄の出力ポート番号１欄では、状態番号「１」の報知情報欄には「１」がセットされ、状態番号「２」の報知情報欄には「１」がセットされ、状態番号「３」の報知情報欄には「１」がセットされ、状態番号「４」の報知情報欄には「１」がセットされている。出力ポート番号２欄では、状態番号「１」の報知情報欄には「１」がセットされ、状態番号「２」の報知情報欄には「１」がセットされ、状態番号「３」の報知情報欄には「０」がセットされ、状態番号「４」の報知情報欄には「０」がセットされている。出力ポート番号３欄では、状態番号「１」の報知情報欄には「１」がセットされ、状態番号「２」の報知情報欄には「１」がセットされ、状態番号「３」の報知情報欄には「１」がセットされ、状態番号「４」の報知情報欄には「１」がセットされている。出力ポート番号４欄では、状態番号「１」の報知情報欄には「０」がセットされ、状態番号「２」の報知情報欄には「０」がセットされ、状態番号「３」の報知情報欄には「０」がセットされ、状態番号「４」の報知情報欄には「０」がセットされている。また、判定方法２欄には何もセットされていない。
【００４１】
図８に示す例では、判定方法欄には判定方法２が選択されたことを示す「２」がセットされている。また、設定内容欄の判定方法１欄には何もセットされていない。さらに、判定方法２欄の出力ポート番号１の報知情報欄には「０」、基準時間欄には「０」秒、基準回数には「０」がセットされ、出力ポート番号２の報知情報欄には「０」、基準時間欄には「０」秒、基準回数には「０」がセットされ、出力ポート番号３の報知情報欄には「１」、基準時間欄には「６０」秒、基準回数には「３０」がセットされ、出力ポート番号４の報知情報欄には「１」、基準時間欄には「６０」秒、基準回数には「３０」がセットされている。
【００４２】
次に、図９乃至図１２を参照して、電流検知判定装置１の不揮発ＲＡＭ１７に記憶されている受信設定データ記憶エリア１７０、基準値テーブル記憶エリア１７１、判定方法１設定テーブル記憶エリア１７２、判定方法２設定テーブル記憶エリア１７３について説明する。
【００４３】
図９は、電流検知判定装置１の不揮発ＲＡＭ１７に記憶されている受信設定データ記憶エリア１７０の模式図である。ここには、端末装置３から送信された設定データが記憶される。図９に示す例では、設定内容欄の判定方法１欄の出力ポート番号１欄では、状態番号「１」の報知情報欄には「１」がセットされ、状態番号「２」の報知情報欄には「１」がセットされ、状態番号「３」の報知情報欄には「１」がセットされ、状態番号「４」の報知情報欄には「１」がセットされている。出力ポート番号２欄では、状態番号「１」の報知情報欄には「１」がセットされ、状態番号「２」の報知情報欄には「１」がセットされ、状態番号「３」の報知情報欄には「０」がセットされ、状態番号「４」の報知情報欄には「０」がセットされている。出力ポート番号３欄では、状態番号「１」の報知情報欄には「１」がセットされ、状態番号「２」の報知情報欄には「１」がセットされ、状態番号「３」の報知情報欄には「１」がセットされ、状態番号「４」の報知情報欄には「１」がセットされている。出力ポート番号４欄では、状態番号「１」の報知情報欄には「０」がセットされ、状態番号「２」の報知情報欄には「０」がセットされ、状態番号「３」の報知情報欄には「０」がセットされ、状態番号「４」の報知情報欄には「０」がセットされている。また、判定方法２欄には何もセットされていない。
【００４４】
図１０は、電流検知判定装置１の不揮発ＲＡＭ１７に記憶されている基準値テーブル記憶エリア１７１の模式図であり、出力ポート番号毎に１乃至３の設定番号欄が設けられ、設定番号毎に基準値欄と最終欄が設けられている。基準値欄には、メイン処理の設定モード処理（図５、Ｓ１１参照）において、設定ボタン１４を押下することにより計測された電流の値が記憶される。例えば、出力ポート番号３に対応した出力ポート１９ｃ横のランプ２２ｃが点灯し、出力ポート番号３の基準値を設定が行われる状態では、１度設定ボタン１４を押下すると、計測された電流の値が出力ポート番号３欄の設定番号１の基準値欄にセットされ、続けて設定ボタン１４を押下すると、計測された電流の値が設定番号２の基準値欄にセットされ、さらに続けて設定ボタン１４を押下すると、計測された電流の値が設定番号３の基準値欄にセットされる。また、さらに設定ボタン１４を押下すると、計測された電流の値が設定番号１の基準値欄にセットされる。ここで、最後に基準値がセットされた設定番号１の最終欄には、最終設定の基準値であることを示す「１」がセットされる。
【００４５】
図１０に示す例では、出力ポート番号１では、設定番号１の基準値は「０．３」Ａ、設定番号２の基準値は「０．７」Ａ、設定番号３の基準値は「０．０５」Ａ、最終設定番号は「３」であり、出力ポート番号２では、設定番号１の基準値は「０．３」Ａ、設定番号２の基準値は「０．１」Ａ、設定番号３の基準値は「０．０３」Ａ、最終設定番号は「３」であり、出力ポート番号３では、設定番号１の基準値は「１．０」Ａ、設定番号２の基準値は「０．４」Ａ、設定番号３の基準値は「０．０５」Ａ、最終設定番号は「１」であり、出力ポート番号４では、設定番号１の基準値は「１．０」Ａ、設定番号２の基準値は「０．０５」Ａ、設定番号３の基準値は設定されおらず、最終設定番号は「２」である。
【００４６】
図１１は、電流検知判定装置１の不揮発ＲＡＭ１７に記憶されている判定方法１設定テーブル記憶エリア１７２の模式図である。ここには、判定方法１での設定内容が出力ポート番号毎に記憶されており、基準値欄には判定基準となる電流の値である基準値が設定番号に対応して記憶され、報知情報欄には端末装置３へ報知するか否かの情報が状態番号に対応して記憶されている。なお、この設定テーブルは、メイン処理の設定データ記憶処理（図５、Ｓ１２）で、基準値テーブル記憶エリア１７１及び設定データ記憶エリア３８０に記憶されたデータに基づいて記憶される。
【００４７】
図１１に示す例では、出力ポート番号１では、設定番号１の基準値は「０．７」Ａ、設定番号２の基準値は「０．３」Ａ、設定番号３の基準値は「０．０５」Ａであり、状態番号１の報知情報は報知することを示す「１」、状態番号２の報知情報は報知することを示す「１」、状態番号３の報知情報は報知することを示す「１」、状態番号４の報知情報は報知することを示す「１」が記憶されている。出力ポート番号２では、設定番号１の基準値は「０．３」Ａ、設定番号２の基準値は「０．１」Ａ、設定番号３の基準値は「０．０３」Ａであり、状態番号１の報知情報は報知することを示す「１」、状態番号２の報知情報は報知することを示す「１」、状態番号３の報知情報は報知しないことを示す「０」、状態番号４の報知情報は報知しないことを示す「０」が記憶されている。出力ポート番号３では、設定番号１の基準値は「１．０」Ａ、設定番号２の基準値は「０．４」Ａ、設定番号３の基準値は「０．０５」Ａであり、状態番号１の報知情報は報知することを示す「１」、状態番号２の報知情報は報知することを示す「１」、状態番号３の報知情報は報知することを示す「１」、状態番号４の報知情報は報知することを示す「１」が記憶されている。出力ポート番号４では、設定番号１の基準値は「１．０」Ａ、設定番号２の基準値は「０．０５」Ａ、設定番号３の基準値は設定されておらず、状態番号１の報知情報は報知しないことを示す「０」、状態番号２の報知情報は報知しないことを示す「０」、状態番号３の報知情報は報知しないことを示す「０」、状態番号４の報知情報は報知しないことを示す「０」が記憶されている。
【００４８】
図１２は、電流検知判定装置１の不揮発ＲＡＭ１７に記憶されている判定方法２設定テーブル記憶エリア１７３の模式図である。ここには、判定方法２での設定値が出力ポート番号毎に記憶されており、基準値欄には判定基準となる電流の値である基準値が記憶され、基準回数欄には判定基準となる回数が記憶され、基準時間欄には判定の区切りとなる時間が秒単位で記憶され、報知情報欄には端末装置３へ報知するか否かの情報が記憶されている。なお、この設定テーブルは、メイン処理の設定データ記憶処理（図５、Ｓ１２）で、基準値テーブル記憶エリア１７１及び設定データ記憶エリア３８０に記憶されたデータに基づいて記憶される。
【００４９】
図１２に示す例では、出力ポート番号１の基準値は「０．０５」Ａ、基準時間は「０」秒、基準回数は「０」回、報知情報は報知しないことを示す「０」が記憶されており、出力ポート番号「２」の基準値は「０．０３」Ａ、基準回数は「０」回、基準時間は「０」秒、報知情報は報知しないことを示す「０」が記憶されており、出力ポート番号３の基準値は「１．０」Ａ、基準回数は「３０」回、基準時間は「６０」秒、報知情報は報知することを示す「１」が記憶されており、出力ポート番号４の基準値は「０．０５」Ａ、基準回数は「３０」回、基準時間は「６０」秒、報知情報は報知することを示す「１」が記憶されている。
【００５０】
次に、図１３を参照して、メイン処理内で行われる設定モード処理について、フローチャートを用いて説明する。図１３は、メイン処理内で行われる設定モード処理（図５、Ｓ１１）のフローチャートである。この処理は、電流検知判定装置１において、モードスイッチが「設定」にセットされた際に行われ、設定ボタン１４を３秒以上押下し続けることにより、ランプ２２が点灯している出力ポート１９の電流値が計測され、基準値テーブル記憶エリア１７１の基準値欄に記憶される。記憶された電流値は、判定方法１及び判定方法２の基準値として使用される。また、設定ボタンを３秒以下の長さで押すことにより、点灯するランプがランプ２２ａ、ランプ２２ｂ、ランプ２２ｃ、ランプ２２ｄ、ランプ２２ａと移動し、設定する出力ポート１９を選択できるようになっている。
【００５１】
まず、出力ポート番号カウンタｋに初期値「１」、設定番号カウンタｐに初期値「０」をセットする（Ｓ５１）。次いで、ｋ番目の出力ポート即ち１番目の出力ポートである出力ポート１９ａ横のランプ２２ａを点灯させる（Ｓ５２）。次に設定ボタン１４が３秒以下の長さで押下されたか否かを確認する（Ｓ５３）。設定ボタン１４が押下されている場合には（Ｓ５３：ＹＥＳ）、出力ポート番号カウンタｋの値に「１」を足し、設定番号カウンタｐに初期値「０」をセットし（Ｓ５４）、出力ポート番号カウンタｋの値が４より大きいか否かを確認する（Ｓ５５）。出力ポート番号カウンタｋの値が４より大きくない場合には（Ｓ５５：ＮＯ）、ｋ番目の出力ポートのランプ２２を点灯させ（Ｓ５６）、Ｓ５７へ進む。出力ポート番号カウンタｋの値が４より大きい場合には（Ｓ５５：ＹＥＳ）、Ｓ５１へ戻り、出力ポート番号カウンタｋの値を「１」に初期化し、１番目の出力ポート１９ａへの設定に戻る。このＳ５１からＳ５６では、基準値を計測する出力ポート１９を選択する選択処理を行っている。
【００５２】
次に、Ｓ５７では、設定ボタン１４が３秒以上押下されたか否かを確認する（Ｓ５７）。押下されていない場合には（Ｓ５７：ＮＯ）、Ｓ６５へ進む。押下された場合には（Ｓ５７：ＹＥＳ）、ｋ番目の出力ポートの電流を計測する（Ｓ５８）。次いで、設定番号カウンタｐの値が「０」であるか否かを確認する（Ｓ５９）。設定番号カウンタｐの値が「０」である場合は（Ｓ５９：ＹＥＳ）、ｋ番目の出力ポートに対する１回目の電流計測であるので、基準値テーブル記憶エリア１７１のｋ番目の出力ポートのデータを全て初期化する（Ｓ６０）。設定番号カウンタｐの値が「０」でない場合は（Ｓ５９：ＮＯ）、２回目以降の電流計測であるので、何もしない。次いで、設定番号カウンタｐに「１」を足し（Ｓ６１）、設定番号カウンタｐの値が設定番号数である３よりも大きいか否かを確認する（Ｓ６２）。設定番号カウンタｐの値が３よりも大きい場合には（Ｓ６２：ＹＥＳ）、設定番号３まですでに設定されているので、次は設定番号１へ上書きする。そのために、設定番号カウンタｐに「０」をセットして（Ｓ６３）、Ｓ６１へ戻り、設定番号カウンタｐに「１」を足し、設定番号カウンタｐの値を「１」とし（Ｓ６１）、再び設定番号カウンタｐの値が３よりも大きいかの確認を行う（Ｓ６２）。設定番号カウンタｐの値が３よりも大きくない場合には（Ｓ６２：ＮＯ）、ｋ番目の出力ポートのｐ番目の設定番号欄へＳ５８において計測した電流値をセットし、最終欄の更新を行う（Ｓ６４）。最終欄の更新では、ｋ番目の出力ポートの最終欄の値を全て初期化した後に、ｋ番目の出力ポートのｐ番目の設定番号欄の最終欄に「１」をセットする。このＳ５７からＳ６４では、ｋ番目の出力ポート１９に対する基準値の計測及び記憶を行う基準値計測処理を行っている。
【００５３】
次いで、モードスイッチが「設定」であるか否かを確認する（Ｓ６５）。ここで、モードスイッチが「設定」でない場合には（Ｓ６５：ＮＯ）、設定モード処理を終えるために、設定データ記憶処理（図１４参照）により設定した基準値テーブル１７１を判定方法１設定テーブル１７２又は判定方法２設定テーブル１７３に反映させ（Ｓ６６）、処理を終了する。また、モードスイッチが「設定」である場合には（Ｓ６５：ＹＥＳ）、本設定モード処理は継続されるので、Ｓ５３へ戻り、設定ボタンが３秒以下の長さで押下されたか否かを確認し（Ｓ５３）、押下された場合には（Ｓ５３：ＹＥＳ）、Ｓ５４へ進み、設定出力ポートの選択処理を行う。押下されていない場合には（Ｓ５３：ＮＯ）、Ｓ５７へ進み、ｋ番目の出力ポートの電流値計測処理に進む。
【００５４】
次に、図１４を参照して、メイン処理（図５、Ｓ１２参照）及び設定モード処理（図１３、Ｓ６６参照）で行われる設定データ記憶処理について、フローチャートを用いて説明する。ここでは、端末装置３及び電流検知判定装置１において設定した情報を、判定方法毎の設定テーブルにセットする。まず、受信設定データ記憶エリア１７０の判定方法欄の値が「１」であるか否かを確認し（Ｓ４１）、「１」であった場合には（Ｓ４１：ＹＥＳ）、判定方法１が選択されているので、受信設定データ記憶エリア１７の判定方法１欄の情報を、判定方法１設定テーブル記憶エリア１７２の報知情報欄に出力ポート番号に合わせて記憶する（Ｓ４３）。次いで、基準値テーブル記憶エリア１７１に記憶されている基準値を、判定方法１設定テーブル記憶エリア１７２の基準値欄に、出力ポート番号及び設定番号に合わせて記憶する（Ｓ４４）。次いで、判定方法１欄に記憶されているデータを出力ポート番号毎に基準値の昇順にソートし（Ｓ４７）、ＲＡＭ１６の前回計測値テーブル記憶エリア１６１、判定データ記憶エリア１６２、報知データ記憶エリア１６３、監視データ記憶エリア１６４を初期化して（Ｓ４８）、処理を終了する。このソートは、設定番号１の基準値に状態番号１の報知情報を付属させて行われる。例えば、設定番号１の基準値が「０．３」、状態番号１の報知情報が「０」、設定番号２の基準値が「０．７」、状態番号２の報知情報が「１」、設定番号３の基準値が「０．０１」、状態番号３の報知情報が「１」であった場合には、設定番号１の基準値「０．３」と設定番号２の基準値「０．７」が入れ替わり、設定番号１の基準値が「０．７」、設定番号２の基準値が「０．３」となるが、その際に、報知情報も基準値に付属して入れ替えが行われる。したがって、状態番号１の報知情報「０」と状態番号２の報知情報「１」も入れ替わり、状態番号１の報知情報が「１」、状態番号２の報知情報が「０」となる。
【００５５】
次に、Ｓ４１で判定方法欄の値が「１」でなかった場合（Ｓ４１：ＮＯ）、判定方法欄の値が「２」であるか否かを確認する（Ｓ４２）。「２」でなかった場合には（Ｓ４２：ＮＯ）、設定データ未受信であるか、正しい値が記憶されていないので、そのまま終了する。判定方法欄の値が「２」であった場合には（Ｓ４２：ＹＥＳ）、受信設定データ記憶エリア１７０の判定方法２欄の報知情報欄及び基準時間欄の情報を、判定方法２設定テーブル記憶エリア１７３の報知情報欄、基準時間欄及び基準時間欄に出力ポート番号に合わせて記憶する（Ｓ４５）。次いで、基準値テーブル記憶エリア１７１に記憶されている基準値の内、最終欄に「１」がセットされている基準値を、判定方法１設定テーブル記憶エリア１７２の基準値欄に、出力ポート番号及び設定番号に合わせて記憶し（Ｓ４６）、Ｓ４８へ進む。例えば、図１０に示す基準値テーブルでは、出力ポート番号１では設定番号３の基準値「０．０５」、出力ポート番号２では設定番号３の基準値「０．０３」、出力ポート番号３では設定番号１の基準値「１．０」、出力ポート番号４では設定番号２の基準値「０．０５」が、図１２に示す判定方法２設定テーブル記憶エリア１７３の基準値欄に記憶される。
【００５６】
ここで、メイン処理内で行われる監視モード処理について、図１５乃至図１８を用いて判定方法１の監視モード処理（図５、Ｓ９参照）を、図１９乃至図２２を用いて判定方法２の監視モード処理（図５、Ｓ１０参照）を説明する。
【００５７】
図１５は、電流検知判定装置１のＲＡＭ１６の前回計測値テーブル記憶エリア１６１に記憶されているの前回計測値テーブルの模式図である。ここには、判定方法１の監視モード処理で使用される前回の電流計測値を出力ポート毎に記憶している。図１５に示す例では、１番目の出力ポートでは「０．６」Ａであり、２番目の出力ポートでは「０．１」Ａであり、３番目の出力ポートでは「１．０」Ａであり、４番目の出力ポートでは「０．０」Ａである。
【００５８】
図１６は、電流検知判定装置１のＲＡＭ１６の判定データ記憶エリア１６２に記憶されている判定データ１６２ａの模式図である。ここには、判定方法１の監視モード処理で使用される判定データ１６２ａが記憶される。判定方法１設定テーブル記憶エリア１７２に記憶されている基準値と、計測値とを比較する際に使用される基準値欄と計測値欄が設けられている。図１６に示す例では、基準値欄は「０．３」Ａであり、計測値欄は「０．５」Ａが記憶されている。
【００５９】
図１７は、電流検知判定装置１のＲＡＭ１６の報知データ記憶エリア１６３に記憶されている報知データ１６３ａの模式図である。ここには、判定方法１の監視モード処理において電流検知判定装置１から端末装置３へ、被監視機器の電流使用状態を報知する情報が記憶されている。この情報は２桁の１６進数で表され、判定方法１が選択されている場合、１桁目には出力ポート番号がセットされ、２桁目には状態番号がセットされている。図１７に示す例では、１桁目の出力ポート番号は「１」であり、２桁目の状態番号は「２」であり、これは１番目の出力ポートについて電流検知をした際に、計測値が設定番号１未満かつ設定番号２の基準値以上であった場合を示す状態番号２の状態であり、さらに状態番号２において報知する設定がなされている場合に作成される情報である。
【００６０】
図１８は、判定処理１の監視モード処理のフローチャートである。ここでは、出力ポート番号が、メイン処理（図５参照）で使用されている出力ポート番号カウンタｎの値である出力ポート１９に対して、判定方法１の監視が行われる。まず、判定データ記憶エリア１６２を全て「０」に初期化し、設定番号カウンタｍの値を「０」に初期化する（Ｓ２１）。次いで、ｎ番目の出力ポートの電流を計測し、判定データ記憶エリア１６２の計測値欄に記憶する（Ｓ２２）。次いで、設定番号カウンタｍに１を足し（Ｓ２３）、設定番号カウンタｍの値が全設定数である３よりも大きいか否かを判断する（Ｓ２４）。３よりも設定番号カウンタｍの値が大きくない場合には（Ｓ２４：ＮＯ）、判定方法１設定テーブル記憶エリア１７２の出力ポート番号ｎの設定番号ｍの基準値を取得し、判定データ記憶エリア１６２の基準値欄に記憶し（Ｓ２５）、判定データ記憶エリア１６２に記憶されている計測値が基準値以上であるか否かを比較する（Ｓ２６）。計測値が基準値以上でない場合には（Ｓ２６：ＮＯ）、Ｓ２３へ戻り、次の基準値との比較を行う。計測値が基準値以上である場合には（Ｓ２６：ＹＥＳ）、Ｓ２７へ進む。この時、設定番号ｍの基準値と比較しており、その時の判定値の状態番号はｍとなる。また、Ｓ２４にて設定番号カウンタｍの値が３よりも大きい場合にも（Ｓ２４：ＹＥＳ）、そのままＳ２７へ進み、この時は、計測値をすべての設定番号の基準値と比較し、どの基準値以上でもなかったという状態であり、これは状態番号４を示しており、４は設定番号カウンタｍに等しい。
【００６１】
次いで、Ｓ２７では、計測値が前回計測値テーブル１６１のｎ番目の出力ポート番号の前回計測値欄に記憶された前回計測値と等しいか否かを確認する（Ｓ２７）。前回計測値と等しい場合には（Ｓ２７：ＹＥＳ）、報知を行わないので、そのまま処理を終了する。前回計測値と等しくない場合には（Ｓ２７：ＮＯ）、計測値を前回計測値テーブル１６１のｎ番目の出力ポート番号の前回計測値欄に記憶する（Ｓ２８）。次いで、判定方法１設定テーブル記憶エリア１７２の出力ポート番号ｎの状態番号ｍの報知情報欄の値が「１」であり、報知することを示しているかを確認する（Ｓ２９）。報知することを示す「１」が記憶されている場合には（Ｓ２９：ＹＥＳ）、報知データ記憶エリア１６３の１桁目に出力ポート番号であるｎをセットし、２桁目に状態番号であるｍの値をセットして、電流検知判定装置１へ送信する（３０）。そして、処理を終了する。報知することを示す「１」が記憶されていない場合には（Ｓ２９：ＮＯ）、そのまま処理を終了する。
【００６２】
例えば、出力ポート番号カウンタｎ＝１、計測値が「０．５」Ａであったとすると、図１６に示す判定データ１６２ａの計測値欄には「０．５」Ａがセットされる（Ｓ２２）。まず設定番号カウンタｍ＝１について、基準値欄には、図１１に示す判定方法１設定テーブル記憶エリア１７２の出力ポート番号１、設定番号１の基準値「０．７」Ａがセットされる（Ｓ２３からＳ２５）。「０．５」Ａは「０．７」Ａ未満であるので（Ｓ２６：ＮＯ）、次いで設定番号カウンタｍ＝２について、基準値欄には、図１１に示す判定方法１設定テーブル記憶エリア１７２の出力ポート番号１、設定番号２の基準値「０．３」Ａがセットされる（Ｓ２３からＳ２５）。「０．５」Ａは「０．３」Ａ以上であるので（Ｓ２６：ＹＥＳ）、図１５に示す前回計測値テーブル１６１の出力ポート番号１の前回計測値「０．６」Ａと比較する（Ｓ２７）。この時の状態番号は設定番号カウンタｍの値である「２」である。「０．５」Ａと「０．６」Ａは等しくないので、前回計測値に「０．５」Ａをセットする（Ｓ２８）。次いで、判定方法１設定テーブル記憶エリア１７２の出力ポート番号１の状態番号２の報知情報が「１」であるので、報知データ１６３ａの１桁目に出力ポート番号「１」をセットし、２桁目に状態番号「２」をセットし、電流検知判定装置１へ送信する。
【００６３】
次いで、判定方法２の監視モード処理の説明をする。図１９は、電流検知判定装置１のＲＡＭ１６の監視データ記憶エリア１６４に記憶されている監視データの模式図である。ここには、判定方法２の監視モード処理で使用されるデータが出力ポート毎に記憶されている。判定方法２では、監視時間を基準時間毎に区切り、区切られた監視時間内に電流の計測値が基準値を超えた回数を集計し、集計回数が基準回数以上であるか否かを判定している。出力ポート番号欄には出力ポート番号が記憶され、計測値欄には計測した電流値が記憶され、開始時刻欄には監視時間の開始時刻が記憶され、現在時刻欄には計測値を取得した時刻が記憶され、経過時間欄には開始時刻から現在時刻までに経過した時間が記憶される。図１９に示す例では、出力ポート「１」の集計回数「３」回であり、開始時刻は「９：１０：０８」であり、現在時刻は「９：１０：１２」であり、経過時間は「４」秒である。出力ポート「２」の集計回数「２」回であり、開始時刻は「９：１０：０８」であり、現在時刻は「９：１０：１２」であり、経過時間は「４」秒である。出力ポート「３」の集計回数「３」回であり、開始時刻は「９：１０：０８」であり、現在時刻は「９：１０：１２」であり、経過時間は「４」秒である。出力ポート「４」の集計回数「４」回であり、開始時刻は「９：１０：０８」であり、現在時刻は「９：１０：１２」であり、経過時間は「４」秒である。
【００６４】
図２０は、電流検知判定装置１のＲＡＭ１６の判定データ記憶エリア１６２に記憶されている判定データ１６２ｂの模式図であり、図１６に示す判定データ１６２ａと同じ記憶エリアを用いている。ここには、判定方法２の監視モード処理（図５、Ｓ１０参照）で使用される判定データが記憶される。判定方法２設定テーブル記憶エリア１７３に記憶されている基準値と、計測値とを比較する際に使用される基準値欄と計測値欄が設けられている。図２０に示す例では、基準値欄は「０．０５」Ａであり、計測値欄は「０．２」Ａが記憶されている。
【００６５】
図２１は、電流検知判定装置１のＲＡＭ１６の報知データ記憶エリア１６３に記憶されている報知データ１６３ｂの模式図であり、図１７に示す報知データ１６３ａと同じ記憶エリアを用いている。ここには、判定方法２の監視モード処理（図５、Ｓ１０参照）において電流検知判定装置１から端末装置３へ、被監視機器の電流使用状態を報知する情報が記憶されている。この情報は２桁の１６進数で表され、判定方法２が選択されている場合、１桁目には出力ポート番号がセットされ、２桁目には基準値を超えた回数がセットされている。図２１に示す例では、１桁目の出力ポート番号は「１」であり、２桁目の回数は「１２」回であり、これは１番目の出力ポートについて電流検知をした際に、基準時間６０秒の間に計測値が基準値を超えた回数が１２回であり、さらに１番目の出力ポートにおいて報知する設定がなされている場合に作成される情報である。
【００６６】
図２２は、判定処理２が選択されている場合の監視モード処理のフローチャートである。まず、ｎ番目の出力ポートの基準時間の設定があるか否かを確認する（Ｓ７０）。基準時間が「０」であったり、値がセットされていなかったりして、設定がない場合には（Ｓ７０：ＮＯ）、そのまま処理を終了する。基準時間の設定がある場合には（Ｓ７０：ＹＥＳ）、ｎ番目の出力ポートの電流を計測し、判定データ記憶エリア１６２ａの計測値欄に記憶する（Ｓ７１）。次いで、現在の時刻をタイマ回路２１から取得して監視データ記憶エリア１６４の出力ポート番号ｎの現在時刻欄にセットし、開始時刻と現在時刻との差を経過時間欄へセットする（Ｓ７２）。また、ここで開始時刻欄に時刻が記憶されていない場合、すなわち本処理がｎ番目の出力ポートに対して初めて行われる監視モード処理であった場合には、開始時刻欄にも現在時刻を記憶し、ｎ番目の出力ポートの集計回数欄に初期値「０」をセットする。次いで、監視時間が基準時間を超えたか否かを確認する（Ｓ７３）。ここでは、監視データ記憶エリア１６４の経過時間欄に記憶されている経過時間と判定方法２設定テーブル記憶エリア１７３に記憶されている出力ポート番号ｎの基準時間とを比較する。
【００６７】
Ｓ７３において、経過時間欄の値が基準時間欄の値以上でない場合には（Ｓ７３：ＮＯ）、判定方法２設定テーブル記憶エリア１７３に記憶された出力ポート番号ｎの基準値を取得して、判定データ記憶エリア１６２の基準値欄へセットし（Ｓ７４）、Ｓ７１で取得した計測値が基準値以上であるか否かを確認する（Ｓ７５）。計測値が基準値以上である場合には、ｎ番目の出力ポートの集計回数欄に「１」を足し（Ｓ７５：ＹＥＳ、Ｓ７６）、処理を終了する。また、計測値が基準値以上でない場合には（Ｓ７５：ＮＯ）、そのまま処理を終了する。
【００６８】
また、Ｓ７３において、経過時間欄の値が基準時間欄の値以上である場合は（Ｓ７３：ＹＥＳ）、区切りとなる監視時間が終了したので、現在時刻を開始時刻欄に記憶する（Ｓ７７）。次いで、ｎ番目の出力ポートの集計回数欄の値が判定方法２設定テーブル記憶エリア１７３に記憶されている出力ポート番号ｎの基準回数以上であるか否かを確認する（Ｓ７８）。ｎ番目の出力ポートの集計回数欄の値が基準回数以上でない場合には（Ｓ７８：ＮＯ）、Ｓ８１へ進む。ｎ番目の出力ポートの集計回数欄の値が基準回数以上である場合には（Ｓ７８：ＹＥＳ）、判定方法２設定テーブル記憶エリア１７３に記憶された出力ポート番号ｎの報知情報欄を参照して、報知指定がされているか否かを確認する（Ｓ７９）。報知することを示す「１」が記憶されている場合には（Ｓ７９：ＹＥＳ）、報知データ記憶エリア１６３の１桁目に出力ポート番号であるｎの値をセットし、２桁目にｎ番目の出力ポートの集計回数欄の値をセットして報知データを作成し、端末装置３へ送信する（Ｓ８０）。また、報知しないことを示す「０」が記憶されている場合には（Ｓ７９：ＮＯ）、何もせずＳ８１へ進む。次いで、ｎ番目の出力ポートの集計回数欄の値を「０」に初期化して（Ｓ８１）、処理を終了する。
【００６９】
例えば、出力ポート番号カウンタｎ＝４、開始時刻が「９：１０：０８」、現在時刻が「９：１０：１２」、計測値が「０．２」Ａであったとすると、図１９に示す監視データ記憶エリア１６４の開始時刻欄には「９：１０：０８」が記憶されており、図２０に示す判定データ記憶エリア１６２ｂの計測値欄には「０．２」Ａがセットされる（Ｓ７１）。また、現在時刻は「９：１０：１２」であるので、図１９に示す監視データ記憶エリア１６４の現在時刻欄に「９：１０：１２」がセットされ、経過時刻欄には「９：１０：０８」と「９：１０：１２」の差である「４」秒が監視データ記憶エリア１６４の出力ポート番号１の経過時刻欄にセットされる（Ｓ７２）。経過時間「４」秒と図１２に示す判定方法２設定テーブル記憶エリア１７３の出力ポート番号１の基準時間「６０」とを比較すると、まだ基準時間を経過していないので（Ｓ７３：ＮＯ）、判定方法２設定テーブル記憶エリア１７３の出力ポート番号１に記憶されている基準値「０．０５」Ａを判定データ１６２ｂの基準値欄にセットする（Ｓ７４）。計測値「０．２」Ａは基準値「０．０５」Ａ以上の値であるので（Ｓ７５：ＹＥＳ）、ｎ番目の出力ポートの集計回数欄に１を足し、処理を終了する。
【００７０】
以上説明したように、上記の実施の形態の電流検知判定装置１は、電源タップの形状をしており、電流供給先装置に供給する電流を計測して、その変化を判定する。さらに、電流検知判定装置１は端末装置３にネットワークを介して接続しており、判定結果を報知することができる。また、判定を行う際の基準値の設定は、電流検知判定装置１の設定ボタン１４を押下することができ、判定方法の選択やその他の設定は端末装置３の電流監視設定画面２３で設定することができる。
【００７１】
従って、電流検知判定装置１を使用して被監視機器の電流量の変化を、端末装置３で知ることができる。判定方法１を選択した場合には、例えば、電流検知判定装置１の出力ポート１９ａに接続しているパソコン５１について考える。パソコン５１に対して、「稼働している状態」、「ただ電源が入っているだけの状態」、「電源が切られている状態」において基準値を設定し、それぞれの値が０．７Ａ、０．３Ａ、０．０５Ａであったとする。この時、設定番号１の基準値が０．７Ａ、設定番号２の基準値が０．３Ａ、設定番号３の基準値が０．０５Ａとなり、状態番号１は計測値が０．７Ａ以上、状態番号２は計測値が０．３以上０．７Ａ未満、状態番号３は計測値が０．０５Ａ以上０．３Ａ未満、状態番号４は計測値が０．０５Ａ未満である状態となる。例えば、夜間であれば、パソコンは「電源が切られている状態」であり、計測値は状態番号３の０．０５Ａ以上０．３Ａ未満であるはずである。ここで、状態番号１、２、４に対して報知設定をすることにより、端末装置３ではパソコン５１の監視をすることができる。状態番号１であれば、誰かがパソコンを使用していることがわかり、状態番号２であれば、パソコン５１の電源が切り忘れられていることがわかり、状態番号４であれば、パソコン５１が電流検知判定装置１から外されている又は外れてしまっていることがわかる。
【００７２】
また、判定方法２を選択した場合には、例えば、１つの部署に５台のプリンタが設置されている場合に、プリンタが印刷を行っている状態において基準値を設定をし、全てのプリンタに同様の設定を行う。この設定での監視を、一定期間例えば一ヶ月間継続して行うことにより、報知データを分析することでプリンタの使用状況を把握することができる。報知回数が多いプリンタは使用頻度が高いプリンタであるとみなすことができる。そのため、プリンタ台数を減らす際には、判定結果の回数の少ないプリンタを撤去したり、新しく高性能のプリンタを導入する際には、判定結果の多いプリンタを最新のものにしたりすることができる。
【００７３】
また、設定面から考えると基準値の設定は、電流検知判定装置１の設定ボタン１４を押下することにより、押下した時点の電流を計測して、設定することができるので、０．１Ａ、０．３Ａ等の具体的な数値を入力する必要がなく、被監視機器を「電源が入っているだけの状態」、「印刷している状態」、「スキャン中」、「スリープ中」、「通常稼働中」等の基準値を設定したい状態にして、設定ボタンを押下するだけでよい。
【００７４】
さらに、電流検知判定装置１により行われる監視では、被監視機器になんら手を加える必要がない。したがって、パソコンであれば、監視用ソフトウェアをインストールする必要が無いので、パソコンに影響を及ぼしたり、他のシステムを不安定にしたりすることがなく、さらに、パソコンが稼働していないときの状況を監視することもできる。また、プリンタやスキャナ、冷蔵庫などの電気機器においては、予め監視機能が備えられていなくとも、その稼働状況を監視することができる。
【００７５】
尚、本実施の形態では、電流検知判定装置１を電源タップの形状とし、被監視端末へ電流を供給しつつ、その電流を検知判定したが、これは電源タップの形状で被監視端末へ電流を供給する必要は無く、無停電電源装置やバッテリー装置や発電機能付装置のような形状であったり、被監視端末の電源摂取部材に取り付けるような形状であったりしてもよい。また、電流検知判定装置１の出力ポート１９の数を４としたが、これは４に限らず、それ以下でも、それ以上であってもよい。また、電源供給先機器として、パソコン５１、ディスプレイ５２、プリンタ５３及びスキャナ５４を例に挙げたが、接続機器はこれらの電気機器に限らず、電流検知判定装置１の出力ポート１９に接続できる電気機器であればよい。
【００７６】
また、上記実施の形態では、１つの端末装置３を電流検知判定の設定端末及び報知先端末として扱ったが、これは別々の端末装置であってもよい。さらに、上記実施の形態では、電流検知判定装置１に予め２つの判定方法のプログラムを記憶し、端末装置３で２つの判定方法から選択をしたが、選択する判定方法の数はこれ以上であってもよい。また、判定方法を選択せずに、予め電流検知判定装置１に記憶されている１種類の判定方法のみを使用するようにしてもよい。さらに、プログラムは予め電流検知判定装置１に記憶せずに、端末装置３から送信して、電流検知判定装置１の不揮発ＲＡＭ１７に記憶するようにしてもよい。
【００７７】
また、上記実施の形態では電流検知判定装置１において、端末装置３にネットワーク２を介して報知データを送信して報知を行っているが、報知データの送信先は端末装置３に限らず、電話、ファクシミリ、ブザー、ランプ等であってもよい。また、報知データは、出力ポート番号、状態番号、回数に限らず、判定時間や基準値等他の情報を載せてもよい。また、報知データを送信するのではなく、電流検知判定装置１にブザーやランプなどを備え付け、これらにより報知してもよい。
【００７８】
【発明の効果】
以上、説明したように、請求項１に係る発明の電流検知判定装置では、計測手段は、電流検知判定装置を流れる電流値を計測し、アナログデジタル変換手段は、計測手段により計測された計測電流値をデジタルデータに変換し、電流値記憶手段は、アナログデジタル変換手段においてデジタルデータに変換された計測電流値を記憶し、基準電流値設定手段は、電流の変化を判定する際の基準となる電流値を設定し、基準電流値記憶手段は、基準電流値設定手段により設定された１つ以上の基準電流値を記憶し、判定手段は、電流値記憶手段に記憶された計測電流値及び基準電流値記憶手段に記憶された基準電流値に基づいて、電流の変化が所定の変化であるか否かを判定し、報知手段は、判定手段により電流の変化が所定の変化であると判断された場合に判定結果を報知することができる。したがって、電流検知判定装置を用いて、電流の変化の状態を知ることができる。尚、基準電流値記憶手段は、電流検知判定装置に備えられた設定ボタンを押下することにより、計測手段で計測した計測電流値を、アナログデジタル変換手段でデジタルデータに変換して、基準電流値として設定することができる。
【００７９】
また、請求項２に係る発明の電流検知判定装置では、請求項１に記載の発明の効果に加えて、判定手段に備えられた第１判定手段は、電流値記憶手段に記憶された計測電流値が基準電流値記憶手段に記憶された基準電流値以上であるか否かを判定し、第２判定手段は、電流値記憶手段に記憶された計測電流値が電流値記憶手段に記憶された前回の計測結果である前回計測電流値に等しいか否かを判定することができる。したがって、基準電流値を基準として電流量の変化を知ることができる。また、１つ以上の基準電流値が設定されているため、複数の基準電流値に対して判定を行うことができ、電流の変化により、計測電流値がどの基準値を超えたのかにより、計測している電流が供給されている機器の状態の変化を知ることができる。例えば、計測している電流が供給されている機器が通常に稼動している状態において１つ目の基準電流値を設定し、機器の電源が入っているだけの状態において２つ目の基準電流値を設定し、機器の電源が切られている状態で３つ目の基準電流値を設定した場合、通常機器が使用されない夜間や休日など、機器のスイッチが切られている状態では、機器に供給されている電流の値は２つ目の基準電流値未満３つ目の基準電流値以上であると検知判定されるはずである。ここで、１つ目の基準電流値以上であると検知判定されると、報知が行われ、不正に機器が使用されている可能性があることを知ることができ、機器の監視に使用することができる。
【００８０】
また、請求項３に係る発明の電流検知判定装置では、請求項１に記載の発明の効果に加えて、判定手段の第３判定手段は、所定期間に計測手段において計測され、アナログデジタル変換手段においてデジタルデータに変換された複数の計測電流値の内、所定数の計測電流値が基準電流値以上であるか否かを判定することができる。したがって、計測している電流が供給されている機器の使用負荷を知ることができる。例えば、端末装置が複数台あり、それぞれに供給される電流を電流検知判定装置が検知判定するとすることができる。これらの端末装置の通常稼働中の電流値を基準電流値として設定すると、報知頻度回数の多い端末装置は、これらの端末装置の中で使用頻度の高い端末装置であることがわかり、機器の交換や設置場所移動などの参考とすることができる。
【００８１】
また、請求項４に係る発明の電流検知判定装置では、請求項１乃至３のいずれかに記載の発明の効果に加えて、入力手段は電気供給口であるコンセントに接続可能であり、電流が入力され、１つ又は複数の出力手段は電気機器の電源プラグを接続可能であり、電源プラグに電流を出力することができる。また、計測手段とアナログデジタル手段はそれぞれの出力手段に備えることができる。したがって、電流検知判定装置は、電流を検知判定すると共に、計測している電流が供給されている機器に電流を供給することができる。また、複数の機器へ電流を供給し、その電流を検知判定することができる。
【００８２】
また、請求項５に係る発明の電流検知判定装置では、請求項１乃至４のいずれかに記載の発明の効果に加えて、受信手段は、設定端末装置において設定された判定及び報知に関する情報を受信し、情報記憶手段は、受信手段が受信した情報を記憶することができる。したがって、電流検知判定装置は設定端末装置にネットワークを介して接続し、設定端末装置から情報を受信し、その情報を記憶することができる。
【００８３】
また、請求項６に係る発明の電流検知判定装置では、請求項５に記載の発明の効果に加えて、情報は、報知をするか否かの報知情報、電流変化の判定の基準となる判定基準情報、判定を行う判定プログラムの内の少なくとも１つを用いることができる。したがって、電流検知判定装置は、報知をするか否かの報知情報、電流変化の判定の基準となる判定基準情報、又は、判定を行う判定プログラムを設定端末装置からネットワークを介して受信し、記憶することができる。すなわち、報知をするか否かの報知情報や電流変化の判定の基準となる判定基準情報を受信、記憶できるので、電流検知判定装置で行うには複雑な設定を設定端末装置にて行い、その情報を記憶することができる。また、判定プログラムを受信し、記憶することができるので、設定端末装置から受信し、記憶させることにより、判定方法を指定することができる。
【００８４】
また、請求項７に係る発明の電流検知判定装置では、請求項１乃至６のいずれかに記載の発明の効果に加えて、電流検知判定装置の報知手段は、電流検知判定装置に付属のブザー又はランプを用いることができる。したがって、計測電流値の変化が所定の変化であると判定された場合には、耳で聞いたり、目で見たりしてその変化を知ることができる。
【００８５】
また、請求項８に係る発明の電流検知判定装置では、請求項１乃至７のいずれかに記載の発明の効果に加えて、報知手段の報知情報作成手段は、報知端末装置に送信する報知情報を判定結果に基づいて作成し、報知情報送信手段は、報知情報を報知端末装置に送信することができる。したがって、報知端末装置では報知情報を電流検知判定装置から受取ることができるため、報知情報をデータとして活用することができる。例えば、データを集計して統計を取ったり、集計結果を反映させて、新たな判定基準を設定したりすることができる。
【００８６】
また、請求項９に係る発明の設定端末装置では、設定手段は、判定及び報知に関する情報を設定し、判定方法選択手段は、複数の判定方法から１つの判定方法を選択し、送信手段は、判定及び報知に関する情報を電流検知判定装置へ送信することができる。したがって、判定基準を設定したり、報知をするかしないかの設定をしたり、報知先の設定をしたり、設定端末装置で判定方法を選択したりすることができ、それらの設定情報や判定プログラムを電流検知判定装置へ送信することができる。
【図面の簡単な説明】
【図１】図１は、本発明の一実施の形態を示す機器の構成のブロック図である。
【図２】図２は、電流検知判定装置１の外観構造を示す平面図である。
【図３】図３は電流検知判定装置１の電気的構成のブロック図である。
【図４】図４は、端末装置３の電気的構成のブロック図である。
【図５】図５は、本実施の形態の電流検知判定装置１において実施されるメイン処理のフローチャートである。
【図６】図６は端末装置３の電流監視設定画面２３のイメージ図である。
【図７】図７は、判定方法１が選択された場合の設定データ記憶エリア３８０に記憶されている設定データ３８０ａの模式図である。
【図８】図８は、判定方法２が選択された場合の設定データ記憶エリア３８０に記憶されている設定データ３８０ｂの模式図である。
【図９】図９は、電流検知判定装置１の不揮発ＲＡＭ１７に記憶されている受信設定データ記憶エリア１７０の模式図である。
【図１０】図１０は、電流検知判定装置１の不揮発ＲＡＭ１７に記憶されている基準値テーブル記憶エリア１７１の模式図である。
【図１１】図１１は、電流検知判定装置１の不揮発ＲＡＭ１７に記憶されている判定方法１設定テーブル記憶エリア１７２の模式図である。
【図１２】図１２は、電流検知判定装置１の不揮発ＲＡＭ１７に記憶されている判定方法２設定テーブル記憶エリア１７３の模式図である。
【図１３】図１３は、メイン処理内で行われる設定モード処理のフローチャートである。
【図１４】図１４は、メイン処理及び設定モード処理で行われる設定データ記憶処理のフローチャートである。
【図１５】図１５は、電流検知判定装置１のＲＡＭ１６の前回計測値テーブル記憶エリア１６１に記憶されているの前回計測値テーブルの模式図である。
【図１６】図１６は、電流検知判定装置１のＲＡＭ１６の判定データ記憶エリア１６２に記憶されている判定データ１６２ａの模式図である。
【図１７】図１７は、電流検知判定装置１のＲＡＭ１６の報知データ記憶エリア１６３に記憶されている報知データの模式図である。
【図１８】図１８は、判定処理１の監視モード処理のフローチャートである。
【図１９】図１９は、電流検知判定装置１のＲＡＭ１６の監視データ記憶エリア１６４に記憶されている監視データの模式図である。
【図２０】図２０は、電流検知判定装置１のＲＡＭ１６の判定データ記憶エリア１６２に記憶されている判定データ１６２ｂの模式図である。
【図２１】図２１は、電流検知判定装置１のＲＡＭ１６の報知データ記憶エリア１６３に記憶されている報知データ１６３ｂの模式図である。
【図２２】図２１は、判定処理２が選択されている場合の監視モード処理のフローチャートである。
【符号の説明】
１　電流検知判定装置
２　ネットワーク
３　端末装置
４　コンセント
１０　センサ
１３　モードスイッチ
１４　設定ボタン
１８　ネットワーク接続端子
１９　出力ポート
２０　入力ポート
２１　タイマ回路
２２　ランプ
２３　電流監視設定画面
３８　ハードディスク装置
５１　パソコン
５２　ディスプレイ
５３　プリンタ
５４　スキャナ
１６１　前回計測値テーブル記憶エリア
１６２　判定データ記憶エリア
１６３　報知データ記憶エリア
１６４　監視データ記憶エリア
１７０　受信設定データ記憶エリア
１７１　基準値テーブル記憶エリア
１７２　判定方法１設定テーブル記憶エリア
１７３　判定方法２設定テーブル記憶エリア
３８０　設定データ記憶エリア
ｋ　出力ポート番号カウンタ
ｍ　設定番号カウンタ
ｎ　出力ポート番号カウンタ
ｐ　設定番号カウンタ
【図１】
2004101476.tif 000003
【図２】
2004101476.tif 000004
【図３】
2004101476.tif 000005
【図４】
2004101476.tif 000006
【図５】
2004101476.tif 000007
【図６】
2004101476.tif 000008
【図７】
2004101476.tif 000009
【図８】
2004101476.tif 000010
【図９】
2004101476.tif 000011
【図１０】
2004101476.tif 000012
【図１１】
2004101476.tif 000013
【図１２】
2004101476.tif 000014
【図１３】
2004101476.tif 000015
【図１４】
2004101476.tif 000016
【図１５】
2004101476.tif 000017
【図１６】
2004101476.tif 000018
【図１７】
2004101476.tif 000019
【図１８】
2004101476.tif 000020
【図１９】
2004101476.tif 000021
【図２０】
2004101476.tif 000022
【図２１】
2004101476.tif 000023
【図２２】
2004101476.tif 000024